(57)【要約】【課題】温度ヒューズ及び溶断用傍熱ヒータを用いなくとも、電気機器への電力供給を停止させることができる電気機器制御システムを提供する。【解決手段】測定部１３は、床暖房分岐ブレーカ１２１を流れる電流を測定する。リレー５１は、オン又はオフすることで、床暖房分岐ブレーカ１２１からの電力を床暖房４０に供給又は遮断する。床暖房コントローラ５０は、ユーザにより床暖房４０がオン又はオフされたかを通知するための状態通知信号を出力する。判断部２１２は、床暖房コントローラ５０からオフの状態通知信号が出力され、かつ、床暖房分岐ブレーカ１２１を流れる電流の値が基準値以上の場合、リレー５１の接点が溶着している判断する。報知制御部２１４は、判断部２１２によりリレー５１が溶着していると判断された場合、そのことをコントロールパネル３２に報知させる。【選択図】図１
2009030824.tif 000002
【特許請求の範囲】
【請求項１】
主幹ブレーカから供給された電力を配下に接続された電気機器に供給する分岐ブレーカと、
前記分岐ブレーカから供給される電気使用量を測定する測定手段と、
オン又はオフすることで、前記分岐ブレーカからの電力を前記電気機器に供給又は遮断するスイッチ手段と、
前記スイッチ手段をオン又はオフさせて前記電気機器を制御すると共に、前記電気機器がユーザによりオンされたか否かの状態を通知するための状態通知信号を出力する監視制御手段と、
前記監視制御手段から出力された状態通知信号と、前記測定手段により測定された電気使用量とを基に、前記スイッチ手段に異常が発生しているか否かを判断する判断手段と、
前記判断手段により前記スイッチ手段に異常が発生していると判断された場合、そのことをユーザに報知する報知手段とを備えることを特徴とする電気機器監視制御システム。
【請求項２】
前記スイッチ手段は、リレーであり、
前記判断手段は、前記リレーが備える接点の溶着を前記スイッチ手段の異常として判断することを特徴とする請求項１記載の電気機器監視制御システム。
【請求項３】
前記測定手段は、前記分岐ブレーカに流れる電流の値を前記電気使用量として測定し、
前記判断手段は、前記監視制御手段からオフの状態通知信号が出力された場合であって、前記測定手段により測定された電流の値が、前記電気機器のオンを示す所定の値を超えている場合、前記接点が溶着していると判断することを特徴とする請求項２記載の電気機器監視制御システム。
【請求項４】
前記分岐ブレーカは、外部からの制御信号に従ってオン又はオフするものであり、
前記判断手段により、前記接点が溶着していると判断された場合、前記分岐ブレーカをオフさせるための制御信号を前記分岐ブレーカに出力するブレーカ制御手段を更に備えることを特徴とする請求項２又は３記載の電気機器監視制御システム。
【請求項５】
前記判断手段は、前記電気機器がユーザによりオンされた時に、前記測定手段により測定された電気使用量が、前記電気機器のオフの値を示す場合、前記電気機器が故障していると判断することを特徴とする請求項１〜４のいずれかに記載の電気機器監視制御システム。
【請求項６】
前記判断手段は、前記電気機器がユーザによりオンされた時から一定時間、前記測定手段により測定された電気使用量が、前記電気機器のオフの値を示す場合、前記電気機器が故障していると判断することを特徴とする請求項５記載の電気機器監視制御システム。
【請求項７】
前記電気機器は、暖房機器であり、
前記監視制御手段は、前記暖房機器の温度が所定の基準温度を超えた場合、前記暖房機器の稼働を停止させるものであり、ユーザにより前記暖房機器がオンされた時から一定期間においては、前記暖房機器の温度が前記基準温度を超える場合であっても、前記暖房機器を稼働させることを特徴とする請求項１〜６のいずれかに記載の電気機器監視制御システム。
【請求項８】
前記電気機器は床暖房であり、
前記分岐ブレーカは配下に前記床暖房のみが接続されていることを特徴とする請求項１〜７のいずれかに記載の電気機器監視制御システム。
【発明の詳細な説明】
【技術分野】
【０００１】
本発明は、分岐ブレーカ等を備える電気機器監視制御システムに関するものである。
【背景技術】
【０００２】
特許文献１には、電気ヒータと、電源及び電気ヒータ間に介設された負荷開閉器（リレー）と、負荷開閉器と直列接続された温度ヒューズと、温度ヒューズの近傍に配設された溶断用傍熱ヒータと、負荷開閉器の接点の溶着を検出する溶着検出回路とを備え、溶着検出回路により負荷開閉器の接点の溶着が検出された場合に、溶断用傍熱ヒータに温度ヒューズを溶断させ、電気ヒータの発熱を停止させる技術が開示されている。
【特許文献１】特開平１１−８３０５６号公報
【発明の開示】
【発明が解決しようとする課題】
【０００３】
しかしながら、特許文献１記載の技術では、電気ヒータ及び電源間に温度ヒューズが接続されているが、電源からの電力を電気ヒータへ供給する電源ラインには、１０Ａ以上の大きな電流が流れるため、温度ヒューズとして、外形サイズの大きなものを採用する必要がある。そのため、この温度ヒューズを一般住宅向けの壁埋込の配線器具モジュールの内部に収容することは困難であるという問題がある。
【０００４】
また、特許文献１記載の技術では、何らかの要因によってマイコンが暴走し、溶断用傍熱ヒータが入りっぱなしの状態にされ、安全上好ましくない事態が発生する虞がある。
【０００５】
本発明の目的は、温度ヒューズ及び溶断用傍熱ヒータを用いなくとも、電気機器への電力供給を停止させることができる電気機器制御システムを提供することである。
【課題を解決するための手段】
【０００６】
本発明による電気機器監視制御システムは、主幹ブレーカから供給された電力を配下に接続された電気機器に供給する分岐ブレーカと、前記分岐ブレーカから供給される電気使用量を測定する測定手段と、オン又はオフすることで、前記分岐ブレーカからの電力を前記電気機器に供給又は遮断するスイッチ手段と、前記スイッチ手段をオン又はオフさせて前記電気機器を制御すると共に、前記電気機器がユーザによりオンされたか否かの状態を通知するための状態通知信号を出力する監視制御手段と、前記監視制御手段から出力された状態通知信号と、前記測定手段により測定された電気使用量とを基に、前記スイッチ手段に異常が発生しているか否かを判断する判断手段と、前記判断手段により前記スイッチ手段に異常が発生していると判断された場合、そのことをユーザに報知する報知手段とを備えることを特徴とする。
【０００７】
この構成によれば、ユーザにより電気機器がオン又はオフされたかの状態を示す状態通知信号と、測定手段により測定された分岐ブレーカの電気使用量とを基に、スイッチ手段に異常が発生しているか否かが判断され、異常が発生していると判断された場合、そのことがユーザに報知される。したがって、ユーザにスイッチ手段の異常の発生を速やかに認識させて電気機器をオフさせることが可能となる。その結果、温度ヒューズ及び溶断用傍熱ヒータを用いなくとも、電気機器への電力供給を停止させることができる。
【０００８】
また、前記スイッチ手段は、リレーであり、前記判断手段は、前記リレーが備える接点の溶着を前記スイッチ手段の異常として判断することが好ましい。
【０００９】
この構成によれば、リレーが備える接点の溶着がスイッチ手段の異常として判断されるため、異常のより具体的な内容をユーザに報知することができる。
【００１０】
また、前記測定手段は、前記分岐ブレーカに流れる電流の値を前記電気使用量として測定し、前記判断手段は、前記監視制御手段によりオフの状態通知信号が出力された時であって、前記測定手段により測定された電流の値が、前記電気機器のオンを示す所定の値を超えている場合、前記接点が溶着していると判断することが好ましい。
【００１１】
この構成によれば、監視制御手段によりオフの状態通知信号が出力されている場合であって、測定手段により測定された電流の値が、電気機器のオンを示す所定の値を超えている場合、リレーが備える接点が溶着していると判断されるため、リレーの接点が溶着しているか否かを正確に判断することができる。
【００１２】
また、前記分岐ブレーカは、外部からの制御信号に従ってオン又はオフするものであり、前記判断手段により、前記接点が溶着していると判断された場合、前記分岐ブレーカをオフさせるための制御信号を前記分岐ブレーカに出力するブレーカ制御手段を更に備えることが好ましい。
【００１３】
この構成によれば、接点が溶着していると判断された場合、分岐ブレーカをオフさせるための制御信号が分岐ブレーカに出力され、電気機器への電力供給が遮断される。したがって、温度ヒューズ及び溶断用傍熱ヒータを用いなくとも、電気機器への電力供給を自動的に停止させることができる。
【００１４】
また、前記判断手段は、前記電気機器がユーザによりオンされた時に、前記測定手段により測定された電気使用量が、前記電気機器のオフの値を示す場合、前記電気機器が故障していると判断することが好ましい。
【００１５】
この構成によれば、前記電気機器がユーザによりオンされた時に、測定手段により測定された電気使用量が、電気機器のオフの値を示す場合、電気機器に異常が発生していると判断されるため、電気機器の故障を正確に判断することができる。
【００１６】
また、前記判断手段は、前記監視制御手段によりオンの状態通知信号が出力された時であって、前記測定手段により測定された電気使用量が、前記電気機器のオフの値を示す状態が一定時間継続された場合、前記電気機器が故障していると判断することが好ましい。
【００１７】
この構成によれば、前記電気機器がユーザによりオンされた時から一定時間、測定手段により測定された電気使用量が電気機器のオフの値を示した場合、電気機器が故障していると判断されるため、オンの状態通信号が出力された際に、測定された電気使用量が電気機器のオフの値を示す状態が一時的に発生しても、電気機器が故障していると判断されなくなる結果、電気機器の故障の判断精度を高めることができる。
【００１８】
また、前記電気機器は、暖房機器であり、前記監視制御手段は、前記暖房機器の温度が所定の基準温度を超えた場合、前記暖房機器の稼働を停止させるものであり、ユーザにより前記暖房機器がオンされた時から一定期間においては、前記暖房機器の温度が前記基準温度を超える場合であっても、前記暖房機器を稼働させることが好ましい。
【００１９】
この構成によれば、監視制御手段は、暖房機器の温度が所定の基準温度を超える場合、暖房機器の稼働を停止させるが、ユーザにより暖房機器がオンされた時から一定期間においては、暖房機器を稼働させるため、暖房機器が故障していると判断されることを防止することができる。すなわち、暖房機器の温度が基準温度を超える場合に、暖房機器の稼働を停止させる制御を採用すると、ユーザにより暖房機器がオンされた時の温度が基準温度を超えている場合に、暖房機器が稼働されないため、分岐ブレーカに電流が流れなくなる。これにより、判断手段は、監視制御手段がオンの状態通知信号を出力したにもかかわらず、分岐ブレーカに電流がながれていないため、暖房機器が故障していると判断するおそれがある。そこで、ユーザにより暖房機器がオンされた時から一定期間において、暖房機器を稼働させることにより、暖房機器が故障していると誤判断されることを防止することができる。
【００２０】
また、前記電気機器は床暖房であり、前記分岐ブレーカは配下に前記床暖房のみが接続されていることが好ましい。
【００２１】
この構成によれば、床暖房機器に接続されたスイッチ手段の異常及び暖房機器の異常を正確に判断することができる。
【発明の効果】
【００２２】
本発明によれば、ユーザにスイッチ手段の異常の発生を速やかに認識させて電気機器をオフさせることが可能となる。その結果、温度ヒューズ及び溶断用傍熱ヒータを用いなくとも、電気機器への電力供給を停止させることができる。
【発明を実施するための最良の形態】
【００２３】
（実施の形態１）
以下、本発明の実施の形態１による電気機器監視制御システムについて説明する。図１は、本発明の実施の形態１による電気機器監視制御システムの全体構成を示すブロック図である。図１に示すように電気機器監視制御システムは、分電盤１０、ホーム情報パネル２０、テレビ３１、コントロールパネル３２、照明装置３３、エアコン３４、床暖房４０（電気機器の一例）、床暖房コントローラ５０（監視制御手段の一例）、及びインターフェイスユニット（ＩＦＵ）６０を備えている。
【００２４】
分電盤１０は、主幹ブレーカ１１、複数の分岐ブレーカ１２、測定部１３、及び通信部１４を備えている。主幹ブレーカ１１は、商用電源と接続され、商用電源から供給される電力を、分岐ブレーカ１２を介してテレビ３１、コントロールパネル３２、照明装置３３、エアコン３４、及び床暖房４０等の電気機器に供給する。また、主幹ブレーカ１１は、過電流が流れた場合、オフして分岐ブレーカ１２への電力供給を遮断する。
【００２５】
分岐ブレーカ１２は、主幹ブレーカ１１から供給された電力をテレビ３１、コントロールパネル３２、照明装置３３、エアコン３４、及び床暖房４０等に供給するものであり、過電流が流れた場合、オフして配下に接続された電気機器への電力供給を遮断する。
【００２６】
測定部１３は、主幹ブレーカ１１及び各分岐ブレーカ１２に流れる電流を測定する電流検出回路から構成されている。通信部１４は、エネルギーマネジメントユニット２１と所定の通信プロトコルに従って通信を行う通信装置から構成され、測定部１３により測定された主幹ブレーカ１１及び各分岐ブレーカ１２の電流の値を通信線Ｎ１を介してエネルギーマネジメントユニット２１に送信する。ここで、通信部１４は、主幹ブレーカ１１及び各分岐ブレーカ１２を識別するための識別情報を電流の値に関連付けて、エネルギーマネジメントユニットに送信する。通信線Ｎ１は、ＲＳ４８５等の通信ケーブルから構成される。
【００２７】
電力線Ｌ１は、床暖房４０用の分岐ブレーカ１２からの電力を床暖房コントローラ５０を介して床暖房４０に供給するための電力線である。なお、図１では、床暖房４０に電力を供給する電力線Ｌ１のみを示し、他の電気機器、すなわち、テレビ３１〜エアコン３４に電力を供給する電力線は図示を省略している。また、床暖房４０に電力を供給する分岐ブレーカ１２は、配下に床暖房４０のみが接続され、他の電気機器は接続されていないものとする。また、テレビ３１〜エアコン３４の電気機器に対して１つの分岐ブレーカ１２を割り当ててもよいし、テレビ３１〜エアコン３４のいずれか２つ以上を１つの分岐ブレーカ１２に割り当ててもよい。また、床暖房用の分岐ブレーカ１２を床暖房分岐ブレーカ１２１と称する。
【００２８】
ホーム情報パネル２０は、エネルギーマネジメントユニット２１及びＬＡＮ通信部２２を備える。エネルギーマネジメントユニット２１は、主幹ブレーカ１１から供給される電力や、各分岐ブレーカ１２から供給される電力等を算出して、算出結果をコントロールパネル３２に表示するものであり、通信部２１１、判断部２１２、機器制御部２１３、及び報知制御部２１４を備える。通信部２１１は、分電盤１０と所定の通信プロトコルに従って通信を行う通信装置から構成され、分電盤１０から送信された主幹ブレーカ１１及び各分岐ブレーカ１２の電流の値を通信線Ｎ１を介して受信する。
【００２９】
判断部２１２は、床暖房コントローラ５０から出力された状態通知信号と、測定部１３により測定された床暖房分岐ブレーカ１２１における電気使用量とを基に、リレー５１に異常が発生しているか否かを判断する。具体的には、判断部２１２は、床暖房コントローラ５０からユーザが床暖房４０をオフしたことを示す状態通知信号を受信した時に、測定部１３により測定された床暖房分岐ブレーカ１２１を流れる電流の値が、床暖房４０のオンを示す所定の基準値以上の場合、リレー５１の接点が溶着していると判断する。ここで、床暖房４０のオンを示す所定の基準値としては、床暖房４０が発熱している際に床暖房分岐ブレーカ１２１に流れる電流値のうちの最小値を採用することができる。また、判断部２１２は、床暖房コントローラ５０からユーザが床暖房４０をオンしたことを示す状態通知信号を受信した時に、測定部１３により測定された床暖房分岐ブレーカ１２１を流れる電流の値が、床暖房４０のオフを示す所定の値未満である場合、床暖房４０が故障している判断する。ここで、床暖房のオフを示す所定の値としては、上記基準値を採用することができる。
【００３０】
機器制御部２１３は、ＪＥＭ−Ａ規格に準拠した電気機器であるエアコン３４及び床暖房４０を遠隔制御するものであり、例えば、コントロールパネル３２により受け付けられたユーザからの操作入力に従って、エアコン３４及び床暖房４０を制御するための制御信号を制御線Ｎ２に出力し、エアコン３４及び床暖房４０をオン・オフさせたり、エアコン３４及び床暖房４０の温度を設定したりする。
【００３１】
報知制御部２１４は、判断部２１２によりリレー５１の接点が溶着していると判断された場合、そのことをユーザに報知するための画像データを生成し、ＬＡＮ通信部２２に渡す。また、報知制御部２１４は、判断部２１２により床暖房４０が故障していると判断された場合、そのことをユーザに報知するための画像データを生成し、ＬＡＮ通信部２２に渡す。ＬＡＮ通信部２２に渡された画像データは、ＬＡＮ通信部２２により、ＬＡＮ回線Ｎ３を介してテレビ３１及びコントロールパネル３２の少なくともいずれか一方に送信される。
【００３２】
ＬＡＮ通信部２２は、ＬＡＮの通信プロトコルに従って、テレビ３１及びコントロールパネル３２と通信するための通信装置から構成されている。なお、報知制御部２１４は、判断部２１２によりリレー５１の接点が溶着している又は床暖房４０が故障していると判断された場合、画像による報知に代えて、又は画像による報知に加えて、警報音をテレビ３１及びコントロールパネル３２の少なくともいずれか一方から出力させてもよい。
【００３３】
テレビ３１は、ＬＡＮの通信プロトコルに従って、ＬＡＮ通信部２２と通信するための通信装置を備えたテレビから構成され、ＬＡＮ通信部２２から送信された画像データに従って、リレー５１の接点が溶着している又は床暖房４０が故障していることをユーザに報知するための画像を表示する。ここで、テレビ３１は、リレー５１の接点の溶着又は床暖房４０の故障をユーザに報知するための画像に代えて、或いは加えて警報音を出力して、リレー５１の接点の溶着又は床暖房４０の故障をユーザに報知してもよい。警報音としては、例えば、「リレーの接点が溶着しています。」又は「床暖房が故障しています。」というような音声であってもよいし、ブザー音であってもよい。
【００３４】
コントロールパネル３２は、ＬＡＮの通信プロトコルに従って、ＬＡＮ通信部２２と通信するための通信装置と、ユーザからの種々の操作入力を受け付ける操作部と、リレー５１の接点の溶着又は床暖房４０の故障をユーザに報知するための画像や種々の操作画像を表示するためのタッチパネルとを備える。ここで、コントロールパネル３２は、リレー５１の接点の溶着又は床暖房４０の故障をユーザに報知するための画像に代えて、或いは加えて警報音を出力して、リレー５１の接点の溶着又は床暖房４０の故障をユーザに報知してもよい。警報音としては、例えば、「リレーの接点が溶着しています。」又は「床暖房が故障しています。」というような音声であってもよいし、ブザー音であってもよい。
【００３５】
床暖房４０は、スイッチ４１を備え、床暖房分岐ブレーカ１２１から供給される電力に従って稼働し、部屋の床を暖める。ここで、スイッチ４１は、床暖房コントローラ５０の制御に関わらず、床暖房４０を強制的にオフさせるためのスイッチである。
【００３６】
床暖房コントローラ５０は、床暖房４０を制御するものであり、リレー５１（スイッチ手段の一例）と、床暖房４０をオン・オフしたり、床暖房４０の温度を設定したりといったユーザからの操作入力を受け付ける操作部と、床暖房４０の稼働状況をモニタ表示するタッチパネルとを備える。
【００３７】
また、床暖房コントローラ５０は、ユーザにより床暖房がオン又はオフされた時、そのことを通知するための状態通知信号を制御線Ｎ２を介してエネルギーマネジメントユニット２１に出力する。
【００３８】
また、床暖房コントローラ５０は、リレー５１をオン・オフさせて、床暖房分岐ブレーカ１２１から供給される電力を床暖房４０に供給したり、遮断したりすることで、床暖房４０の温度が基準温度となるように床暖房４０を制御する。
【００３９】
リレー５１は、オン又はオフすることで、分岐ブレーカ１２からの電力を床暖房４０に供給又は遮断する。ここで、リレー５１は、接点と、接点に当接する当接部とを備え、床暖房コントローラ５０が備える制御部による制御の下、当接部を接点に当接させることでオンし、当接部を接点から離すことでオフする。
【００４０】
ＩＦＵ６０は、エアコン３４及びエネルギーマネジメントユニット２１間を接続する制御線Ｎ２、及び床暖房コントローラ５０及びエネルギーマネジメントユニット２１間を接続する制御線Ｎ２上に接続され、エネルギーマネジメントユニット２１と、エアコン３４及び床暖房コントローラ５０とのインターフェイスを司る。
【００４１】
図２は、本電気機器監視制御システムの動作を示すフローチャートである。まず、ステップＳ１において、ユーザにより床暖房コントローラ５０又はコントロールパネル３２が操作されて床暖房４０がオフされると（ステップＳ１でＹＥＳ）、床暖房コントローラ５０は、エネルギーマネジメントユニット２１にオフの状態通知信号を出力する（ステップＳ２）。一方、ユーザにより床暖房コントローラ５０又はコントロールパネル３２が操作されて床暖房４０がオフされない場合（ステップＳ１でＮＯ）、処理がステップＳ６に進められる。
【００４２】
次に、ステップＳ３において、通信部２１１により受信された床暖房分岐ブレーカ１２１に流れる電流の値が基準値以上である場合（ステップＳ３でＹＥＳ）、すなわち、ユーザが床暖房４０をオフにしようとしているにも関わらず、床暖房分岐ブレーカ１２１に基準値以上の電流が流れ、床暖房４０がオフされていない場合、判断部２１２は、リレー５１の接点が当接部に溶着していると判断する（ステップＳ４）。そして、報知制御部２１４は、そのことを示す画像データを生成し、テレビ３１及びコントロールパネル３２に送信し、テレビ３１及びコントロールパネル３２は、リレー５１の接点が溶着していることをユーザに報知する（ステップＳ５）。
【００４３】
一方、ステップＳ３でＮＯの場合、リレー５１の接点が溶着していないため、故障の報知を行うことなく処理が終了される。
【００４４】
ステップＳ６において、ユーザにより床暖房コントローラ５０又はコントロールパネル３２が操作されて床暖房４０がオンされると（ステップＳ６でＹＥＳ）、床暖房コントローラ５０は、エネルギーマネジメントユニット２１にオンの状態通知信号を出力する（ステップＳ７）。一方、ステップＳ６でＮＯの場合、処理がステップＳ１に戻される。
【００４５】
ステップＳ８において、通信部２１１により受信された床暖房分岐ブレーカ１２１に流れる電流の値が基準値未満である場合（ステップＳ８でＹＥＳ）、すなわち、ユーザが床暖房４０をオンにしようとしているにも関わらず、床暖房４０がオンされない場合、判断部２１２は、床暖房４０が故障していると判断する（ステップＳ９）。
【００４６】
ステップＳ１０において、報知制御部２１４は、床暖房４０が故障していることを報知するための画像データをテレビ３１及びコントロールパネル３２に送信し、テレビ３１及びコントロールパネル３２は、床暖房４０が故障していることをユーザに報知する。一方、ステップＳ８でＮＯの場合、床暖房４０が故障していないため、故障の報知を行うことなく処理が終了される。
【００４７】
このように、実施の形態１による電気機器監視制御システムによれば、床暖房４０がユーザによりオフされたにもかかわらず、床暖房分岐ブレーカ１２１に基準値以上の電流が流れている場合、リレー５１の接点が溶着していると判断され、そのことがユーザに報知される。したがって、ユーザにリレー５１の異常の発生を速やかに認識させ、スイッチ４１を操作させて床暖房４０をオフさせることが可能となる。その結果、温度ヒューズ及び溶断用傍熱ヒータを用いなくとも、床暖房４０をオフさせることができる。
【００４８】
また、床暖房４０がユーザによりオンされたにもかかわらず、床暖房分岐ブレーカ１２１に流れる電流が基準値未満である場合、床暖房４０が故障していると判断されるため、床暖房４０の故障を正確に判断し、床暖房４０の故障をユーザに速やかに報知することができる。
【００４９】
なお、上記実施の形態１では、判断部２１２は、床暖房コントローラ５０により床暖房４０がオンされていることを示す状態通知信号を受信した時、測定部１３により測定された床暖房分岐ブレーカ１２１を流れる電流の値が、基準値未満である状態が、一定期間継続された場合、床暖房４０が故障していると判断してもよい。これにより、床暖房コントローラ５０からオンの状態通信号が出力された時に、床暖房分岐ブレーカ１２１の電流が基準値未満である状態が一時的に発生しても、床暖房４０に異常が発生していると判断されなくなる結果、床暖房４０の異常を正確に判断することができる。
【００５０】
また、報知制御部２１４は、判断部２１２によりリレー５１の接点が溶着していると判断された場合、リレー５１の接点が溶着していることをテレビ３１及びコントロールパネル３２に報知させることに代えて、単にリレー５１が故障していることをテレビ３１及びコントロールパネル３２に報知させてもよい。
【００５１】
（実施の形態２）
実施の形態２による電気機器監視制御システムは、リレー５１の接点が溶着していると判断された場合、床暖房分岐ブレーカ１２１をオフすることを特徴とする。なお、本実施の形態において、実施の形態１と同一のものは説明を省略する。
【００５２】
図３は、実施の形態２による電気機器監視制御システムのブロック図を示している。実施の形態１との相違点は、エネルギーマネジメントユニット２１がブレーカ制御部２１５を更に備える点にある。
【００５３】
ブレーカ制御部２１５は、判断部２１２によりリレー５１の接点が溶着していると判断された場合、床暖房分岐ブレーカ１２１をオフさせるための制御信号を通信部２１１に渡す。通信部２１１に渡された制御信号は、通信部２１１により通信線Ｎ１を介して分電盤１０に出力される。
【００５４】
この制御信号が分電盤１０の通信部１４により受信されると、床暖房分岐ブレーカ１２１は、オフして床暖房４０への電力供給を遮断する。これにより、リレー５１の接点が溶着していても、床暖房分岐ブレーカ１２１がオフされるため、床暖房４０への電力供給を遮断することができる。
【００５５】
図４は、実施の形態２による電気機器監視制御システムの動作を示すフローチャートである。ステップＳ１１〜〜Ｓ２０の処理は、図２に示すステップＳ１〜Ｓ１０と同一であるため、説明を省略する。
【００５６】
ステップＳ２１において、ブレーカ制御部２１５は、判断部２１２によりリレー５１の接点が溶着していると判断されたため、床暖房分岐ブレーカ１２１をオフするための制御信号を分電盤１０に出力し、床暖房分岐ブレーカ１２１をオフする。
【００５７】
このように、実施の形態２による電気機器監視制御システムによれば、実施の形態１の効果に加えて、背景技術のように温度ヒューズ及び溶断用傍熱ヒータを用いなくとも、床暖房４０への電力供給を自動的に停止させることができる。
【００５８】
（実施の形態３）
実施の形態３による電気機器監視制御システムは、ユーザによりオンされた時から一定期間においては、床暖房４０の温度が基準温度を超える場合であっても床暖房４０を稼働させないことを特徴とする。
【００５９】
なお、本実施の形態において実施の形態１，２と同一のものは説明を省略する。図５は、実施の形態３による電気機器監視制御システムのブロック図を示している。床暖房４０は、スイッチ４１、及び温度センサ４２を備える。温度センサ４２は、床暖房４０の温度を計測し、床暖房コントローラ５０に出力する。
【００６０】
図６〜図９は、床暖房４０の動作を説明するためのグラフであり、縦軸は温度を示し、横軸は時間を示している。床暖房コントローラ５０は、温度センサ４２により床暖房４０の温度が所定のＯＦＦ温度を超えたことが検出された場合、リレー５１をオフさせ床暖房４０の稼働を停止させる。また、床暖房コントローラ５０は、温度センサ４２により床暖房４０の温度がＯＦＦ温度よりも低い所定のＯＮ温度（基準温度の一例）を下回ることが検出された場合、リレー５１をオンさせ床暖房４０の稼働を再開させる。これにより、床暖房４０の温度がユーザにより設定された目標温度を中心とする所定の許容範囲内で変動することになる。なお、ＯＮ温度及びＯＦＦ温度は、ユーザにより設定された目標温度と、予め定められた許容範囲とに従って決定される。
【００６１】
図６に示すように、例えばユーザが床暖房コントローラ５０を操作して、床暖房４０をオンさせた時における床暖房４０の温度がＯＮ温度以下である場合、床暖房コントローラ５０は、床暖房４０の稼働を開始するため、床暖房分岐ブレーカ１２１に基準値以上の電流が流れる。従って、エネルギーマネジメントユニット２１における判断部２１２は、床暖房分岐ブレーカ１２１に基準値以上の電流が流れ、かつ、床暖房コントローラ５０からオンの状態通知信号が出力されるため、床暖房４０は故障していないと判断し、問題はない。
【００６２】
一方、図７に示すように、例えばユーザが床暖房コントローラ５０を操作して、床暖房４０をオンさせた時における床暖房４０の温度がＯＮ温度以上である場合、床暖房コントローラ５０は、床暖房４０の温度がＯＮ温度まで低下するのを待ってから床暖房４０の稼働を開始するため、ユーザにより床暖房４０がオンされてから床暖房４０の温度がＯＮ温度に低下するまでの期間Ｔ１において、床暖房分岐ブレーカ１２１に基準値以上の電流が流れない。従って、判断部２１２は、床暖房コントローラ５０からオンの状態通知信号を受信した時、床暖房分岐ブレーカ１２１に基準値以上の電流が流れていないため、床暖房４０は故障していると誤判断してしまう。
【００６３】
そこで、床暖房コントローラ５０は、床暖房４０がオンされた時の床暖房４０の温度が図８に示すようにＯＮ温度以上であっても、或いは、図９に示すようにＯＦＦ温度以上であっても、所定の期間Ｔ２において床暖房４０を発熱させることで、判断部２１２が誤判断することを防止している。
【００６４】
なお、期間Ｔ２としては、床暖房４０の温度が高温になりすぎず、ユーザの安全を確保できるような時間であることが好ましい。
【００６５】
このように、実施の形態３による電気機器監視制御システムによれば、床暖房４０の温度がＯＮ温度を超える場合であっても、ユーザによりがオンされた時に稼働されるため、床暖房４０に異常が発生していないにもかかわらず、床暖房４０に異常が発生していると判断されることを防止することができる。
【図面の簡単な説明】
【００６６】
【図１】本発明の実施の形態１による電気機器監視制御システムの全体構成を示すブロック図である。
【図２】実施の形態１による電気機器監視制御システムの動作を示すフローチャートである。
【図３】実施の形態２による電気機器監視制御システムのブロック図を示している。
【図４】実施の形態２による電力線搬送通信システムの動作を示すフローチャートである。
【図５】実施の形態３による電気機器監視制御システムのブロック図を示している。
【図６】床暖房の動作を説明するグラフである。
【図７】床暖房の動作を説明するグラフである。
【図８】床暖房の動作を説明するグラフである。
【図９】床暖房の動作を説明するグラフである。
【符号の説明】
【００６７】
１０  分電盤
１１  主幹ブレーカ
１２  分岐ブレーカ
１３  測定部
１４  通信部
２０  ホーム情報パネル
２１  エネルギーマネジメントユニット
２２  ＬＡＮ通信部
３１  テレビ
３２  コントロールパネル
３３  照明装置
３４  エアコン
４０  床暖房
４１  スイッチ
４２  温度センサ
５０  床暖房コントローラ
５１  リレー
１２１  床暖房分岐ブレーカ
２１１  通信部
２１２  判断部
２１３  機器制御部
２１４  報知制御部
２１５  ブレーカ制御部
【図１】
2009030824.tif 000003
【図２】
2009030824.tif 000004
【図３】
2009030824.tif 000005
【図４】
2009030824.tif 000006
【図５】
2009030824.tif 000007
【図６】
2009030824.tif 000008
【図７】
2009030824.tif 000009
【図８】
2009030824.tif 000010
【図９】
2009030824.tif 000011